(57)【特許請求の範囲】
【請求項１】
一端側に可動接点が離接する固定接点が形成され、他端側に外部負荷と接続される外部接続部が形成された固定接触子と、
消弧室ケース内に複数の消弧板が配設された消弧装置と、
前記消弧室ケース内に配設され、前記可動接点と前記固定接点の隔離の際に発生するアークを前記消弧装置へ転流させるアークランナと、
前記固定接触子、前記消弧装置、前記アークランナが取り付けられるベースを有する回路遮断器において、
前記固定接触子には、挿通孔が形成され、
前記アークランナには、前記挿通孔に挿通する固定片が形成され、
前記消弧装置には、前記アークランナを前記ベース方向に押圧する押圧部が形成され、
前記ベースには、取付溝が形成され、
前記アークランナの固定片が、前記固定接触子の挿通孔に挿通された状態で、前記ベースの取付溝に挿入され、前記アークランナで前記固定接触子が前記ベース側に圧入され、さらに前記消弧装置で前記アークランナが前記ベース側に押圧されることにより、前記固定接触子が前記ベースに取り付けられていることを特徴とする回路遮断器。
【請求項２】
前記アークランナの両側には、突出部が突出形成され、
前記消弧装置の消弧室ケースの下端には、前記突出部が進入する保持切欠部が切欠形成され、
前記突出部が前記保持切欠部に進入した状態で、前記消弧装置が前記ベース内に取り付けられていることを特徴とする請求項１記載の回路遮断器。
【請求項３】
前記ベースに被着して取り付けられるカバーには、前記消弧装置の上部が受容される保持部が形成され、
前記消弧装置の上部が前記保持部で受容されて保持された状態で、前記消弧装置の上部が前記カバーで押さえ付けられていることを特徴とする請求項１又は請求項２に記載の回路遮断器。
【発明の詳細な説明】
【技術分野】
【０００１】
本発明は、回路遮断器の固定接触子の取付構造に関する。
【背景技術】
【０００２】
回路遮断器は、外部負荷等からの電線の接続部となる外部接続部と固定接点が一体となった固定接触子、この固定接点と離接する可動接点を有する可動接触子、及び、過電流が流れた場合に可動接触子を固定接触子から引き剥がす開閉機構、固定接触子と可動接触子の電路のオンオフ切替ができるハンドルを有している。この回路遮断器は、過負荷または短絡の際には、開閉機構が作動して、可動接点が固定接点から引き剥がされて、可動接触子と固定接触子間の電路が遮断されるとともに、前記ハンドルがトリップ位置を表示するようになっている。通電時の高温、短絡時の接点バウンド、施工時の端子のがたつき等の対策として、回路遮断器の固定接触子はベースに強固に固定され、固定接触子がベースから動かないようになっている。
【０００３】
このような回路遮断器に短絡電流が流れ、回路遮断器の開閉機構部が作動して回路遮断が行われたときには、固定接触子に形成された固定接点との間で接点の開放時に高温のアーク（放電）が発生する。遮断性能維持のため、アークランナや消弧装置を固定接点付近に配設している。発生したアークは、固定接点からアークランナに転流し、更に消弧装置の内部に転流する。この転流の過程で、アークランナを通る両アークスポット間の距離が次第に大きくなり、その間に発生しているアークが引き延ばされる。そして、引き延ばされたアークは消弧装置内の消弧板で消滅される。
【０００４】
特許文献１に示されるように、固定接触子は、回路遮断器のベースにネジ止めされて固定されているのが一般的である。一方で、引用文献２に示されるように、アークランナは、組立性の観点から、固定接触子に嵌めてユニット化されている場合がある。
【先行技術文献】
【特許文献】
【０００５】
【特許文献１】特開平７−８５７６３号公報
【特許文献２】実開昭６１−５１６４８号公報
【発明の概要】
【発明が解決しようとする課題】
【０００６】
特許文献１や特許文献２に示されるような固定接触子やアークランナの固定方法では、アークランナを固定接触子に嵌めつつ、固定接触子をネジ止めしてベースに固定する必要があり、組立作業性が悪いという問題があった。
本発明は、上記問題を解決し、組立作業性良く固定接触子をベースに取り付けることができる回路遮断器の固定接触子の保持構造を提供する。
【課題を解決するための手段】
【０００７】
上記課題を解決するためになされた請求項１に記載の発明は、
一端側に可動接点が離接する固定接点が形成され、他端側に負荷側と接続される外部接続部が形成された固定接触子と、
消弧室ケース内に複数の消弧板が配設された消弧装置と、
前記消弧室ケース内に配設され、前記可動接点と固定接点の隔離の際に発生するアークを前記消弧装置へ転流させるアークランナと、
前記固定接触子、前記消弧装置、前記アークランナが取り付けられるベースを有する回路遮断器において、
前記固定接触子には、挿通孔が形成され、
前記アークランナには、前記挿通孔に挿通する固定片が形成され、
前記消弧装置には、前記アークランナを前記ベース方向に押圧する押圧部が形成され、
前記ベースには、取付溝が形成され、
前記アークランナの固定片が、前記固定接触子の挿通孔に挿通された状態で、前記ケースの取付溝に挿入され、前記アークランナで前記固定接触子が前記ケース側に圧入され、さらに前記消弧装置で前記アークランナが前記ベース側に押圧されることにより、前記固定接触子が前記ケースに取り付けられていることを特徴とする。
【０００８】
請求項２に記載の発明は、請求項１に記載の発明において、
前記アークランナの両側には、突出部が突出形成され、
前記消弧装置の消弧室ケースの下端には、前記突出部が進入する保持切欠部が切欠形成され、
前記突出部が前記保持切欠部に進入した状態で、前記消弧装置が前記ベース内に取り付けられていることを特徴とする。
【０００９】
請求項３に記載の発明は、請求項１又は請求項２に記載の発明において、
前記ベースに被着して取り付けられるカバーには、前記消弧装置の上部が受容される保持部が形成され、
前記消弧装置の上部が前記保持部で受容されて保持された状態で、前記消弧装置の上部が前記カバーで押さえ付けられていることを特徴とする。これにより、消弧装置の上部がカバーの保持部で受容されて保持され、カバーで押さえ付けられているので、消弧装置がぐらつかず、このため、固定接触子も強固にベースに固定される。
【発明の効果】
【００１１】
本発明によれば、固定接触子には挿通孔が形成され、アークランナには前記挿通孔に挿通する固定片が形成され、消弧装置にはアークランナをベース方向に押圧する押圧部が形成され、ベースには取付溝が形成され、前記アークランナの固定片が前記固定接触子の挿通孔に挿通された状態で、前記ベースの取付溝に挿入され、前記アークランナで前記固定接触子が前記ベース側に押圧され、さらに消弧装置でアークランナがベース側に押圧されることにより、前記固定接触子が前記ケースに取り付けられていることを特徴とする。
これにより、従来のように、アークランナを固定接触子に嵌めつつ、固定接触子をネジ止めしてベースに固定する必要が無く、組立作業性が良い。また、アークランナが消弧装置で上方から下方に押さえつけられているので、アークランナでベースに押さえ付けられている固定接触子は強固にベースに固定される。
【図面の簡単な説明】
【００１２】
【図１】カバーを省略した状態の回路遮断器の全体斜視図である。
【図２】カバー及びベースを省略した状態の回路遮断器の全体斜視図である。
【図３】固定接触子、アークランナ、消弧装置の斜視図である。
【図４】アークランナにより固定接触子に圧入固定されている図を示す説明図である。
【図５】消弧装置がカバーで押し付けられている状態の説明図である。
【図６】消弧装置がカバーで押し付けられている状態の断面図である。
【図７】カバー、消弧装置、固定接触子を裏面側からみた斜視図である。
【発明を実施するための形態】
【００１３】
以下に図面を参照しつつ、本発明の好ましい実施の形態を示す。複数極用の回路遮断器１００は、図２に示されるように、複数の可動接触子１１が単一のクロスバー１２に取り付けられ、このクロスバー１２がメカフレーム１５に回動可能に取り付けられている構造が一般的である。そして、メカフレーム１５に取り付けられた開閉機構１６が作動した場合には、複数の可動接触子１１の可動接点（図示せず）が同時に固定接触子１３の固定接点１３ａ（図３の（Ａ）に示す）から引き剥がされるようになっている。
【００１４】
回路遮断器１００の筐体は、ベース１（図１に示す）と、このベース１に被着されるカバー２（図７に示す）から構成されている。ベース１内には、可動接触子１１、クロスバー１２、及び、開閉機構１６が取り付けられたメカフレーム１５、固定接触子１３、アークランナ１７、消弧装置１８が取り付けられている。図１に示されるように、ベース１の一端側には、複数の差込口１ａが並列して形成されている。図４に示されるように、各差込口１ａの奥側のベース１には、取付溝１ｂが形成されている。
【００１５】
図３の（Ａ）に示されるように、固定接触子１３は板状であり、その一端側には固定接点１３ａが突設され、その他端側には外部負荷等からの電線の接続部となる外部接続部１３ｂが形成されている。固定接触子１３の固定接点１３ａの近傍には、挿通孔１３ｃが形成されている。
【００１６】
アークランナ１７は、可動接触子１１の可動接点（図示せず）と固定接点１３ａの隔離の際に発生するアークを、後述する消弧装置１８へ転流させるものである。図３に示されるように、アークランナ１７は、板状のガイド部１７ａと、このガイド部１７ａの一端から折曲形成された固定片１７ｂとから構成されている。固定片１７ｂの厚さは、ベース１の取付溝１ｂの幅と略同一となっている。固定片１７ｂには、固定片１７ｂの先端側から基端側に徐々に突出量が大きくなる引掛部１７ｃが形成されている。アークランナ１７をベース１の取付溝１ｂに圧入する前は引掛部１７ｃは取付溝１ｂより突出しているものであり、取付溝１ｂに固定片１７ｂを挿入し、引掛部１７ｃは固定片１７ｂ方向に撓ませながら挿入し、ベース１に圧入されるものである。図３、図５の（Ａ）に示されるように、ガイド部１７ａの両端には、突出部１７ｄが突出形成されている。図３の（Ａ）に示されるように、ガイド部１７ａには空隙部１７ｅが形成されている。
【００１７】
図４に示されるように、ベース１の差込口１ａの底部に外部接続部１３ｂが載置され、固定接点１３ａがベース１の差込口１ａの奥側に向けられた状態で、挿通孔１３ｃにアークランナ１７の固定片１７ｂが挿通し、固定片１７ｂが取付溝１ｂに差し込まれて、固定接触子１３がアークランナ１７で上方からベース１に圧入された状態で取り付けられている。この状態では、アークランナ１７の引掛部１７ｃが取付溝１ｂに押圧し係止されているので、アークランナ１７及びこれに押さえ付けられている固定接触子１３がベース１から脱落すること無く、固定接触子１３がベース１に強固に取り付けられている。なお、取付溝１ｂに係止凹部を形成して引掛部１７ｃを係止させるものであって良い事は勿論である。
【００１８】
なお、図３の（Ａ）に示されるように、ガイド部１７ａには空隙部１７ｅが形成されているので、アークランナ１７の固定片１７ｂをベース１の取付溝１ｂに差し込む際に、空隙部１７ｅに工具を係合させて、アークランナ１７をベース１側に押圧することができるので、アークランナ１７のベース１への取付作業性が向上する。もし、アークランナ１７の空隙部１７ｅが形成されていない場合には、アークランナ１７をベース１側に工具で押圧しようとしても、工具を係合させる場所が無く、無理に押し込もうとすれば、工具がアークランナ１７から滑ってしまい、アークランナ１７をベース側に押し込むことが困難である。
【００１９】
本発明では、固定接触子１３に挿通孔１３ｃを形成し、アークランナ１７に挿通孔１３ｃに挿通する固定片１７ｂを形成し、ベース１に取付溝１ｂを形成し、アークランナ１７の固定片１７ｂを、固定接触子１３の挿通孔１３ｃに挿通させた状態で、ベース１の取付溝１ｂに挿入させることにより、アークランナ１７で固定接触子１３をベース１側に圧入させて、固定接触子１３をベース１に取り付けることにした。このため、従来のように、アークランナ１７を固定接触子に嵌めつつ、固定接触子１３をネジ止めしてベース１に固定する必要が無く、組立作業性が良い。
【００２０】
図３に示されるように、消弧装置１８は、消弧室ケース１８ａと複数枚の消弧板１８ｂとから構成されている。消弧室ケース１８ａは、板状の異物進入防止部１８ｃと、この異物進入防止部１８ｃの両端から直交する方向に延出する側壁１８ｄとから構成され、断面形状がコ字形状となっている。消弧室ケース１８ａ内に、略Ｖ字形状に切り欠かれた消弧板１８ｂが上下方向に複数枚に配設され、この消弧板１８ｂの両端は、側壁１８ｄで固定されている。複数枚の消弧板１８ｂの略Ｖ字形状の切欠部分は、可動接触子１１の可動接点（図示せず）の移動経路となっている。消弧室ケース１８ａは加熱により表面から消弧性ガスを放出する高分子材料（例えば、ポリアミド）等で構成されている。このため、アークが発生すると、アーク熱により消弧板１８ｂが熱分解して消弧性ガスが発生し、アークが消弧される。図１や図２に示されるように、異物進入防止部１８ｃには、ガス排気口１８ｅが形成されていて、アーク性ガスが、ガス排気口１８ｅから排気されるようになっている。図３や図５に示されるように、側壁１８ｄの下端には、保持切欠部１８ｆが切欠形成されている。消弧装置１８の消弧室ケース１８ａ全体でベース１に圧入し固定されたアークランナ１７を押圧し固定接触子１３をベース１に押さえつけるものであるが、望ましい形としては、保持切欠部１８ｆにアークランナ１７の突出部１７ｄが進入し、保持切欠部１８ｆがアークランナ１７の押圧部となり、アークランナ１７だけでなく消弧装置１８でも固定接触子１３をベース１に押さえつけており更に強固に取り付けることができるものである。
【００２１】
本実施形態では、カバー２には消弧装置１８の上部が受容される保持部２ａが形成されている。図５に示されるように、消弧室ケース１８ａ内に、アークランナ１７のガイド部１７ａが進入した状態で、消弧装置１８は固定接点１３ａの上方に配設されている。本実施形態では、消弧装置１８の保持切欠部１８ｆにアークランナ１７の突出部１７ｄが進入し、更に、消弧装置１８の上部がカバー２の保持部２ａで受容されて保持され、この状態で消弧装置１８の上部がカバー２で押さえ付けられ、更に、アークランナ１７が消弧装置１８で上方から下方に押さえつけられ、カバー２はベース１に被着した状態でネジ止めされている。このため、アークランナ１７でベース１に押さえ付けられている固定接触子１３は、強固にベース１に固定されている。このように本実施形態では、消弧装置１８の上部がカバー２の保持部２ａで受容されて保持されているので、消弧装置１８がぐらつかず、このため、固定接触子１３も強固にベース１に固定されている。また、消弧装置１８には、アークランナ１７の突出部１７ｄが進入する保持切欠部１８ｆが形成されているので、従来と比べて、消弧装置１８のベース１内における位置決め作業が容易となっている。なお、図６に示されるように、カバー２の保持部２ａには、消弧装置１８の異物侵入防止部１８ｃの内側に上方から進入する転倒防止突起２ｂが形成されているので、組付時に、消弧装置１８がメカフレーム１５側に転倒してしまうことが防止される。
【００２２】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う回路遮断器の固定接触子の保持構造もまた技術的範囲に包含されるものとして理解されなければならない。  
【符号の説明】
【００２３】
１      ベース
１ａ    差込口
１ｂ    取付溝
２      カバー
２ａ    保持部
２ｂ    転倒防止突起
１１    可動接触子
１２    クロスバー
１３    固定接触子
１３ａ  固定接点
１３ｂ  外部接続部
１３ｃ  挿通孔
１５    メカフレーム
１６    開閉機構
１７    アークランナ
１７ａ  ガイド部
１７ｂ  固定片
１７ｃ  引掛部
１７ｄ  突出部
１７ｅ  空隙部
１８    消弧装置
１８ａ  消弧室ケース
１８ｂ  消弧板
１８ｃ  異物侵入防止部
１８ｄ  側壁
１８ｅ  ガス排気口
１８ｆ  保持切欠部
１００  回路遮断器
【図１】
0005557716.tif 000002
【図２】
0005557716.tif 000003
【図３】
0005557716.tif 000004
【図４】
0005557716.tif 000005
【図５】
0005557716.tif 000006
【図６】
0005557716.tif 000007
【図７】
0005557716.tif 000008